(57)【特許請求の範囲】
【請求項１】
架空送電線を吊り下げ支持する電柱の、等辺山形鋼で形成された腕金を被覆するように当該腕金に取り付けられる地絡防止絶縁カバーであって、
前記腕金の上面部分および側面部分を連続的に被覆し、下端に開口を有する、断面略Ｌ字状に形成された絶縁性の外皮部と、
前記外皮部の内面から内向きに立設され、前記腕金に複数の箇所で当接する複数のリブと、
を備えることを特徴とする地絡防止絶縁カバー。
【請求項２】
前記外皮部は、前記腕金の先端からさらに前記腕金の延在方向外側に延出されるとともに、その上面部が、曲面状に、または傾斜を有する状態に形成されていることを特徴とする請求項１に記載の地絡防止絶縁カバー。
【請求項３】
前記腕金に対して、当該腕金の先端から嵌め込み当該腕金の延在方向に移動させるようにして取り付けられることを特徴とする請求項１又は請求項２に記載の地絡防止絶縁カバー。
【発明の詳細な説明】
【技術分野】
【０００１】
本発明は、地絡防止絶縁カバーに係り、特に、鳥等による架空送電線の地絡事故を防止するための地絡防止絶縁カバーに関する。
【背景技術】
【０００２】
架空送電線は、例えば図２に示すように、電柱１００の支柱１０１に、略水平方向に延在するように取り付けられた腕金１０２の先端部分に吊り下げ支持された碍子１０３等で架空送電線１０４を吊り上げるようにして架設される場合がある。そして、架空送電線１０４には、数万Ｖのプラスの特別高圧の交流電流が流される場合がある（なお、この場合、架空送電線１０４側がプラス、図示しないレール側がマイナスになる。）。
【０００３】
このような場合、例えば、図２に示した各腕金１０２のαやβ、γで示される位置に鳥（図示省略）がとまり、拡げた羽が架空送電線１０４に触れる等すると、鳥を介して架空送電線１０４と腕金１０２とが短絡して、高圧電流が架空送電線１０４からアースされている腕金１０２や支柱１０１側に流れる、いわゆる地絡が生じる。
【０００４】
そして、このような地絡事故が生じると、地絡が生じた地点を探索し、設備に異常がないか等を作業者が徒歩巡回して調べなければならないため、多くの時間と労力が費やされることになる。そこで、このような問題を解消するために、例えば特許文献１、２等に記載されているような電線防護管やカバー装置で腕金１０２の近傍の架空送電線１０４を被覆して架空送電線１０４を絶縁することが考えられる。
【先行技術文献】
【特許文献】
【０００５】
【特許文献１】特開２０００−１８８８１６号公報
【特許文献２】特開２００６−２９６０７６号公報
【発明の概要】
【発明が解決しようとする課題】
【０００６】
しかしながら、上記のような電線防護管やカバー装置は、通常、電柱１００や架空送電線１０４等の工事中に目印のために架空送電線１０４に取り付けたり、作業者が作業中に感電する等の事故が発生しないようにするために取り付けられる一時的な使用を想定した仕様で製作されているものであり、工事や作業が終了すると架空送電線１０４から取り外される。そのため、電線防護管等が架空送電線１０４から取り外されると、元の地絡が生じ得る状態に戻ってしまう。
【０００７】
また、電線防護管やカバー装置で架空送電線１０４を被覆するとしても、碍子１０３で支持されている架空送電線１０４の部分（例えば図２中のδで示される部分）を電線防護管等で覆うことは必ずしも容易でない。そして、電線防護管等で架空送電線１０４を被覆するように構成しても、碍子１０３で支持された架空送電線１０４が露出した部分に鳥の羽が触れる等して、やはり地絡が生じてしまう。
【０００８】
さらに、架空送電線１０４に長期間、電線防護管やカバー装置を取り付けておくと、架空送電線１０４に風圧荷重がかかる。例えば、台風や暴風雨等の際に強い風等によって電線防護管やカバー装置が動くことで、架空送電線１０４の支持点により大きな負荷がかかる。そのため、架空送電線１０４が切断されてしまう等の問題が生じ得る。
【０００９】
そのため、架空送電線１０４を被覆する電線防護管やカバー装置等を用いずに、上記のような腕金１０２の部分で生じ得る鳥等による地絡事故を防止し得る方法や装置の開発が求められている。
【００１０】
本発明は、上記の問題点を鑑みてなされたものであり、架空送電線に風圧荷重等の負荷をかけることなく、鳥等による地絡事故を的確に防止することが可能な地絡防止絶縁カバーを提供することを目的とする。
【課題を解決するための手段】
【００１１】
前記の問題を解決するために、本発明の地絡防止絶縁カバーは、
架空送電線を吊り下げ支持する電柱の腕金を被覆するように当該腕金に取り付けられる地絡防止絶縁カバーであって、
前記腕金の上面部分および側面部分を連続的に被覆し、下端に開口を有する絶縁性の外皮部と、
前記外皮部の内面から内向きに立設され、前記腕金に複数の箇所で当接する複数のリブと、
を備えることを特徴とする。
架空送電線を吊り下げ支持する電柱の、等辺山形鋼で形成された腕金を被覆するように当該腕金に取り付けられる地絡防止絶縁カバーであって、
前記腕金の上面部分および側面部分を連続的に被覆し、下端に開口を有する、断面略Ｌ字状に形成された絶縁性の外皮部と、
前記外皮部の内面から内向きに立設され、前記腕金に複数の箇所で当接する複数のリブと、
を備えることを特徴とする。
【００１２】
また、好ましくは、前記外皮部は、前記腕金の先端からさらに前記腕金の延在方向外側に延出されるとともに、その上面部が、曲面状に、または傾斜を有する状態に形成されている。
また、好ましくは、前記腕金に対して、当該腕金の先端から嵌め込み当該腕金の延在方向に移動させるようにして取り付けられる。
【発明の効果】
【００１３】
本発明のような方式の地絡防止絶縁カバーによれば、架空送電線に取り付けるのではなく電柱の腕金に取り付けるものであるため、架空送電線の切断等の問題が生じることなく、鳥等による地絡事故の発生を的確に防止することが可能となる。
【００１４】
また、地絡防止絶縁カバー内に雨水等が入り込んでも、雨水等が地絡防止絶縁カバーの下側の開口から的確に流れ落ちるため、雨水等によって腕金が腐食して劣化する等の問題が生じることを的確に防止することが可能となる。そのため、地絡防止絶縁カバーを腕金に取り付けたままにしておくことが可能となり、地絡防止絶縁カバーにより地絡事故の発生を長期間にわたって的確に防止することが可能となる。
【図面の簡単な説明】
【００１５】
【図１】本実施形態に係る地絡防止絶縁カバーの構成を表す（Ａ）斜視図であり、（Ｂ）側面図である。
【図２】支柱や腕金等を備える電柱の構成や架空送電線等を表す図である。
【発明を実施するための形態】
【００１６】
以下、本発明に係る地絡防止絶縁カバーの実施の形態について、図面を参照して説明する。ただし、本発明の範囲は、以下の実施例に限定されない。
【００１７】
また、以下では、電柱１００の腕金１０２が、後述する図１（Ａ）、（Ｂ）等に示すように断面Ｌ字状の鋼材（例えばいわゆる等辺山形鋼）で形成されている場合について説明するが、それ以外の形状（例えば角柱状や角筒状等の形状）の腕金に対しても、その形状に適した地絡防止絶縁カバーを形成することが可能であり、そのような場合にも本発明が適用される。
【００１８】
本実施形態に係る地絡防止絶縁カバー１は、例えば前述した特許文献１、２等に記載されているような架空送電線１０４を被覆する電線防護管やカバー装置とは異なり、電柱１００の腕金１０２全体を被覆するように腕金１０２に取り付けられるものである。
【００１９】
図１（Ａ）、（Ｂ）に示すように、地絡防止絶縁カバー１は、腕金１０２（図中の一点鎖線参照）の上面部分と側面部分とを連続的に被覆する絶縁性の外皮部２を備えている。そして、外皮部２は、下端に開口２ａが設けられている。また、複数のリブ３が、外皮部２の内面から内向きに、腕金１０２の延在方向（図中のｘ方向）に延びる畝状に立設されている。そして、各リブ３の内側の先端部がそれぞれ腕金１０２に当接されるようになっている。
【００２０】
すなわち、複数のリブ３は、地絡防止絶縁カバー１が取り付けられる腕金１０２の形状にあわせて形成されている。そして、地絡防止絶縁カバー１を、腕金１０２に対して、腕金１０２の先端Ａ（図１（Ａ）参照）から嵌め込み腕金１０２の延在方向（ｘ方向）に移動させるようにしてようにして取り付けると、地絡防止絶縁カバー１の複数のリブ３が挿入された腕金１０２にそれぞれフィットして、各リブ３の先端部がそれぞれ腕金１０２に当接される状態になる。
【００２１】
このようにして、地絡防止絶縁カバー１の複数のリブ３が挿入された腕金１０２にそれぞれ当接してフィットするようになるため、腕金１０２に取り付けられた地絡防止絶縁カバー１は、腕金１０２に対して、腕金１０２の延在方向（ｘ方向）に直交する方向（ｙ方向やｚ方向）には動かないように位置固定されるようになっている。
【００２２】
なお、地絡防止絶縁カバー１の外皮部２の下側に延びた２枚の部分に、腕金１０２の延在方向（ｘ方向）に等間隔に孔２ｂがそれぞれ穿設されており、図１（Ａ）に示すように、外皮部２の下側に延びた２枚の部分のいずれかの孔２ｂに樹脂等の絶縁性の結束バンドや紐等の結束具４ａを通して、外皮部２の下側に延びた２枚の部分同士を結束することが好ましい。このように、外皮部２の下側に延びた２枚の部分同士を結束することで、地絡防止絶縁カバー１が腕金１０２に対して容易かつ的確に位置固定されるとともに、地絡防止絶縁カバー１が腕金１０２に対して上方に抜けて脱落することを容易かつ的確に防止することが可能となる。
【００２３】
また、図１（Ａ）に示すように、外皮部２の下側に設けられた孔２ｂのうち、例えば電柱１００の支柱１０１に最も近い側の孔２ｂに通した結束バンドや紐等の結束具４ｂを、支柱１０１や支柱１０１に設けられた図示しない構造物等に引っ掛ける等して固定することで、地絡防止絶縁カバー１が腕金１０２に対して容易かつ的確に位置固定されるとともに、地絡防止絶縁カバー１が腕金１０２の延在方向（ｘ方向）に移動して腕金１０２から抜けて脱落することを容易かつ的確に防止することが可能となる。
【００２４】
このように、地絡防止絶縁カバー１の下側を結束具４ａで結束したり、地絡防止絶縁カバー１を結束具４ｂで電柱１００の支柱１０１等に固定することで、台風や暴風雨で強い風に吹かれても地絡防止絶縁カバー１が腕金１０２から脱落しないことが実験的に確かめられている。
【００２５】
本実施形態では、製造の容易性やコスト面（安価に製造可能）等から、地絡防止絶縁カバー１は、外皮部２と複数のリブ３とが押出成形により一体的に形成されるようになっているが、地絡防止絶縁カバー１を押出成形以外の方法で形成することも可能である。また、本実施形態では、地絡絶縁カバー１は、プラスチック等で形成されており、成形の容易性や安価であること等の理由でポリエチレン製とされている。
【００２６】
なお、本実施形態のように、地絡防止絶縁カバー１をポリエチレン等のプラスチックで形成すれば、非常に軽量に形成することが可能となるため、地絡防止絶縁カバー１を腕金１０２に取り付ける施工作業を容易に行うことが可能となるとともに、腕金１０２に負荷がかからない（或いは腕金１０２にかかる負荷が非常に小さくなる）ため、地絡防止絶縁カバー１を取り付けたことにより腕金１０２に損傷等が生じることを的確に防止することが可能となる。
【００２７】
一方、本実施形態では、図１（Ａ）に示すように、地絡防止絶縁カバー１の外皮部２は、腕金１０２の先端Ａからさらに腕金１０２の延在方向（ｘ方向）外側に延出されている。このように構成することで、鳥等が、地絡防止絶縁カバー１の外皮部２の端部Ｂ側から地絡防止絶縁カバー１内の腕金１０２に接触することを的確に防止することが可能となる。
【００２８】
また、それとともに、外皮部２の沿面距離を確保することが可能となり、仮に腕金１０２に取り付けられた地絡防止絶縁カバー１上に鳥がとまり、拡げた羽が架空送電線１０４（前述した図２参照）に触れたとしても、鳥を介して架空送電線１０４から腕金１０２に高圧電流がリークして流れることを的確に防止することができ、地絡の発生を的確に防止することが可能となる。
【００２９】
本発明者らの研究では、地絡防止絶縁カバー１の材質や高圧電流の電圧値等にもよるが、地絡防止絶縁カバー１の外皮部２を、腕金１０２の先端Ａから数ｃｍ〜十数ｃｍ外側に延出させれば地絡の発生を十分に防止することが可能であり、腕金１０２の先端Ａから２０ｃｍ以上外側に延出させれば地絡が発生することほぼ完全に防止することができることが分かっている。
【００３０】
また、本実施形態では、図１（Ａ）、（Ｂ）に示すように、地絡防止絶縁カバー１の外皮部２は、その上面部２Ａが、曲面状に形成されている。このように、外皮部２の上面部２Ａを曲面状に形成する代わりに、例えば上に凸の山形等のように傾斜を有する状態に形成することも可能である。このように、地絡防止絶縁カバー１の外皮部２の上面部２Ａを曲面状に形成したり傾斜を有する状態に形成し、外皮部２を、その上面部２Ａに水平面がない状態或いは水平面がほとんどない状態に形成することで、鳥が地絡防止絶縁カバー１上に巣を作ることを防止することが可能となる。
【００３１】
鳥は、巣を作る際、木の枝等の他に金属製のハンガー等を運んできて巣作りに用いる場合があるが、その際、金属製のハンガー等が架空送電線１０４や腕金１０２と接触する等して地絡が生じる虞れがある。しかし、地絡防止絶縁カバー１の外皮部２の上面部２Ａを上記のように形成して、鳥が地絡防止絶縁カバー１上に巣を作ることを防止することで、このような金属製のハンガー等を介した地絡が生じることを的確に防止することが可能となる。
【００３２】
また、上記のように、地絡防止絶縁カバー１をポリエチレン等のプラスチックで形成すれば、外皮部２の上面部２Ａ等の表面が滑り易くなり、鳥が地絡防止絶縁カバー１上に巣を作ったりとまったりしにくくなるといったメリットもある。
【００３３】
なお、図１（Ａ）等に示すように、舌状の取付部１０２Ａが、腕金１０２の先端側の下側に溶接されて下向きに取り付けられおり、図示を省略するが、前述した碍子１０３（図２参照）の上端部が取付部１０２Ａに設けられた孔にネジ止めされて、碍子１０３が吊り下げ支持されている。
【００３４】
そして、本実施形態では、図１（Ｂ）に示すように、地絡防止絶縁カバー１の一部のリブ３の先端部が、腕金１０２の取付部１０２Ａにも当接されるようになっており、地絡防止絶縁カバー１の複数のリブ３が、取付部１０２Ａを含む腕金１０２に的確にフィットするようになっている。
【００３５】
また、本実施形態では、図１（Ａ）に示すように、地絡防止絶縁カバー１の外皮部２が、取付部１０２Ａを除いて腕金１０２の下端よりも下側まで延設されており、外皮部２で、取付部１０２Ａ以外の腕金１０２全体を被覆するようになっている。このように構成することで、地絡防止絶縁カバー１で、架線電線１０４と腕金１０２との短絡を的確に防止することが可能となる。
【００３６】
［作用］
次に、本実施形態に係る地絡防止絶縁カバー１の作用について説明する。
【００３７】
地絡防止絶縁カバー１を、従来の電線防護管やカバー装置（前述した特許文献１、２等参照）のように架空送電線１０４に取り付けるのではなく、本実施形態では、電柱１００の腕金１０２に取り付けるように構成した。そのため、従来の電線防護管やカバー装置とは異なり、地絡防止絶縁カバー１により架空送電線１０４に風圧荷重等の負荷がかかるような事態が生じることはなく、少なくとも地絡防止絶縁カバー１を腕金１０２に取り付けたことに起因して架空送電線１０４が切断し易くなることは生じない。
【００３８】
また、従来の電線防護管やカバー装置は、上記のように工事や作業が終了した時点で架空送電線１０４から取り外されるため、地絡防止の効果が途絶えてしまうが、本実施形態に係る地絡防止絶縁カバー１は電柱１００の腕金１０２に取り付けるものであり、上記のように架空送電線１０４の負荷となるものではないため、腕金１０２に取り付けたままにしても何ら問題は生じない。
【００３９】
そのため、地絡防止絶縁カバー１が自然災害や人為的に損傷されたり経年的に劣化して壊れる等しない限り、腕金１０２に取り付けたままにしておくことができるため、従来の電線防護管やカバー装置とは異なり、地絡防止の効果が持続し、維持される。そのため、地絡事故の発生を長期間にわたって的確に防止することが可能となる。
【００４０】
また、仮に地絡防止絶縁カバー１上に鳥がとまり、拡げた羽が架空送電線１０４に触れたとしても、地絡防止絶縁カバー１により、鳥を介して架空送電線１０４と腕金１０２とが短絡することが的確に防止されるため、地絡事故が生じることを的確に防止することが可能となる。
【００４１】
このように、本実施形態に係る地絡防止絶縁カバー１を用いれば、架空送電線１０４を被覆する従来の電線防護管やカバー装置等を用いなくても、鳥等による地絡事故が発生することを的確に防止することが可能となるとともに、架空送電線１０４に負荷をかけることがないため、架空送電線１０４の切断等が生じることも的確に防止することが可能となる。
【００４２】
一方、本実施形態では、図１（Ａ）、（Ｂ）に示したように、地絡防止絶縁カバー１の外皮部２の下端に開口２ａが設けられている。そのため、雨水等が外皮部２の端部Ｂ側から地絡防止絶縁カバー１内に入り込んでも、入り込んだ雨水等が外皮部２の下端の開口２ａから流れ落ちる。
【００４３】
また、本実施形態では、地絡防止絶縁カバー１内に収納した腕金１０２と外皮部２の内面とが面的に接触するのではなく、上記のように、外皮部２の内面から内向きに複数のリブ３を立設させ、それらの先端部をそれぞれ腕金１０２に当接させるように構成されている。すなわち、地絡防止絶縁カバー１は、腕金１０２に対して、各リブ３の先端部が線状に接触するだけであり、腕金１０２と外皮部２の内面との間に空間が形成される。
【００４４】
腕金１０２と外皮部２の内面とが面的に接触していると、地絡防止絶縁カバー１内に入り込んだ雨水等が、毛細管現象等により、腕金１０２と外皮部２の内面との間に長く留まってしまい、腕金１０２が乾かずに腐食して劣化する等の問題が生じ得るが、本実施形態のように、外皮部２の内側に複数のリブ３を立設させて、腕金１０２と外皮部２の内面との間に空間を形成させることで、地絡防止絶縁カバー１内での雨水等の流動性や空気の流通性を高めることが可能となり、地絡防止絶縁カバー１内に入り込んだ雨水等が開口２ａから的確に抜け落ちるようになる。
【００４５】
このように、本実施形態のように、外皮部２の内側に複数のリブ３を立設させて腕金１０２と外皮部２の内面との間に空間を形成させることで地絡防止絶縁カバー１内での雨水等の流動性や空気の流通性を高めたり、地絡防止絶縁カバー１の下端に開口２ａを設けて雨水等が流れ落ちるように構成することで、雨水等が外皮部２の端部Ｂ側から地絡防止絶縁カバー１内に入り込んでも、雨水等を開口２ａから流れ落ちさせて地絡防止絶縁カバー１内から早急に取り除くことが可能となり、腕金１０２が乾燥した状態を保つことが可能となる。
【００４６】
そのため、腕金１０２が雨水等によって腐食して劣化する等の問題が生じることを的確に防止することが可能となる。そして、地絡防止絶縁カバー１を腕金１０２に取り付けたままにしても、腕金１０２が腐食して劣化する等の問題が生じないため、地絡防止絶縁カバー１を腕金１０２に取り付けたままにしておくことが可能となり、地絡事故の発生を長期間にわたって的確に防止することが可能となる。
【００４７】
［効果］
以上のように、本実施形態に係る地絡防止絶縁カバー１によれば、架空送電線１０４に取り付けるのではなく電柱１００の腕金１０２に取り付けるものであるため、架空送電線１０４の切断等の問題が生じることなく、鳥等による地絡事故の発生を的確に防止することが可能となる。
【００４８】
また、地絡防止絶縁カバー１内に雨水等が入り込んでも、雨水等が地絡防止絶縁カバー１の下側の開口２ａから的確に流れ落ちるため、腕金１０２が腐食して劣化する等の問題が生じることを的確に防止することが可能となる。そのため、地絡防止絶縁カバー１を腕金１０２に取り付けたままにしておくことが可能となり、地絡防止絶縁カバー１により地絡事故の発生を長期間にわたって的確に防止することが可能となる。
【００４９】
さらに、前述したように、従来の電線防護管やカバー装置では、碍子１０３で支持されている架空送電線１０４の部分（図２中のδで示される部分）を覆うことが必ずしも容易でなく、その部分に鳥の羽が接触する等して地絡が生じてしまう場合があったが、本実施形態に係る地絡防止絶縁カバー１ではこのような事態は生じず、的確に地絡を防止することが可能となる。
【００５０】
なお、例えば、地絡防止絶縁カバー１内に雨水や金属製のハンガー等が入り込むことを防止するために、地絡防止絶縁カバー１の端部Ｂ（図１（Ａ）参照）側を封止するように構成することも可能である。
【００５１】
また、本実施形態に係る地絡防止絶縁カバー１は、電柱１００の腕金１０２のうち、鳥がとまり、拡げた羽が架空送電線１０４に触れると地絡が生じる可能性がある腕金１０２（すなわち例えば図２中のα〜γで示される腕金）に取り付けられるが、他の腕金１０２に取り付けることも可能である。
【００５２】
さらに、腕金１０２の長さは一定ではないため、例えば２ｍの長さの地絡防止絶縁カバー１を製造しておき、地絡防止絶縁カバー１を必要な長さに切断することで、地絡防止絶縁カバー１の長さを容易かつ的確に調整することが可能となる。
【００５３】
なお、本発明が上記の実施形態に限定されず、本発明の趣旨を逸脱しない限り、適宜変更可能であることは言うまでもない。
【符号の説明】
【００５４】
１  地絡防止絶縁カバー
２  外皮部
２Ａ  上面部
２ａ  開口
３  リブ
１００  電柱
１０１  支柱
１０２  腕金
１０４  架空送電線
Ａ  腕金の先端
【図１】
0006541458.tif 000002
【図２】
0006541458.tif 000003